(57)【特許請求の範囲】
【請求項１】
隣り合う幅木のジョイント部をカバーするジョイントカバーに光源が組み込まれると共に、幅木に光源の光を受けて発光する発光体が幅木の延びる方向に向けて線状に視認可能に組み込まれ、かつ、隣り合う幅木のジョイント部にジョイントカバーが取り付けられて、幅木の発光体がジョイントカバーの光源で発光するようになされていることを特徴とする発光幅木構造。
【発明の詳細な説明】
【０００１】
【発明の属する技術分野】
本発明は、発光手摺り構造及び発光幅木構造に関する。
【０００２】
【従来の技術】
住宅等の建物において、屋内階段や床面の夜間歩行を安全に行えるようにするため、従来より、階段の手摺り棒に照明光源を点状に組み込んだものや、幅木にＬＥＤ等のサイン光源を点状に組み込んだものが提供されている。
【０００３】
【発明が解決しようとする課題】
しかしながら、手摺り棒に照明光源を組み込む構造では、光源のみならず、光源用の電気配線も手摺り棒自体に備えさせる必要があり、手摺り棒が長尺物であることもあって、それらを納まり良く納めるのが難しく、そのためにまた、メンテナンスも容易ではないという問題があった。のみならず、手摺り棒には光源や電気配線を収容するための大きなくりぬき部を形成しなければならず、手摺り棒がいざというとき大きな負荷に耐えることができなければならないものであるにもかかわらず、そのための強度確保を充分に行えない場合があるという問題があった。更に、手摺りに備えさせる照明光源が上記のように点状であったのでは、手摺り棒を認識するのは必ずしも容易ではない。
【０００４】
また、幅木に点状光源を組み込んだものにおいても、幅木が長尺物であることもあって、光源や電気配線の納まりを納まりの良いものにするのが難しく、そのためにまた、メンテナンスも容易ではないという問題や、床の縁を認識するのも必ずしも容易ではないという問題があった。
【０００５】
本発明は、上記のような従来の問題点に鑑み、光源や電気配線の納まりを良好なものにすることができてそのメンテナンスも容易に行うことができ、しかも、視認性に優れて歩行の安全をより確かなものにすることができる発光手摺り構造及び発光幅木構造を提供することを課題とする。
【０００６】
【課題を解決するための手段】
上記の課題は、手摺りを取付け側に取り付けるブラケットに光源が組み込まれると共に、手摺りに、光源の光を受けて発光する発光体が手摺りの延びる方向に向けて線状に視認可能に組み込まれ、かつ、手摺りがブラケットに取り付けられて、手摺りの線状発光体がブラケットの光源で発光するようになされていることを特徴とする発光手摺り構造によって解決される。
【０００７】
この発光手摺り構造では、ブラケットに組み込まれた光源が点灯すると、手摺りの線状発光体がこの光源の光を受けて線状に発光する。従って、夜間などの暗がりにおいても、手摺りを長尺物として認識することができ、歩行の安全をより確かなものにすることができる。
【０００８】
しかも、光源や電気配線の組込みがブラケットに対して行われている構造であるから、ブラケットがピース物であることもあって、光源や電気配線の納まりを良好なものにすることができ、それによってまた、そのメンテナンスも容易に行うことができる。
【０００９】
加えて、手摺りには、光源も電気配線も備えられておらず、ただ線状の発光体だけが手摺りの延びる方向に線状に備えられているだけであるから、手摺りに大きなくりぬきを設ける必要はなく、そのため、手摺りがいざというとき大きな負荷に耐えることができなければならないものであるなかで、その強度確保を万全なものにすることができ、手摺りとしての本来の機能を損なわせることがない。
【００１０】
また、上記の課題は、隣り合う幅木のジョイント部をカバーするジョイントカバーに光源が組み込まれると共に、幅木に光源の光を受けて発光する発光体が幅木の延びる方向に向けて線状に視認可能に組み込まれ、かつ、隣り合う幅木のジョイント部にジョイントカバーが取り付けられて、幅木の発光体がジョイントカバーの光源で発光するようになされていることを特徴とする発光幅木構造によって解決される。
【００１１】
この発光幅木構造では、幅木のジョイントカバーに組み込まれた光源を点灯すると、幅木の線状発光体がこの光源の光を受けて線状に発光する。従って、夜間などの暗がりにおいても、幅木を長尺物として認識することができて床の縁をより明確に把握することができ、歩行の安全をより確かなものにすることができる。
【００１２】
しかも、光源や電気配線の組込みがジョイントカバーに対して行われている構造であるから、ジョイントカバーがピース物であることもあって、光源や電気配線の納まりを良好なものにすることができ、それによってまた、そのメンテナンスも容易に行うことができる。
【００１３】
【発明の実施の形態】
次に、本発明の実施形態を図面に基づいて説明する。
【００１４】
図１乃至図４は発光手摺り構造についてのもので、図１乃至図３に示す第１実施形態の発光手摺り構造において、１は手摺りとしての手摺り棒であり、２は取付け側としての階段脇の壁であり、３はブラケットで、手摺り棒１を壁２から間隔をおくようにして壁２に取り付けるものである。
【００１５】
この手摺り構造において、図１（ハ）に示すように、ブラケット３に、ＬＥＤなどによる光源４と給電用の電気配線５とが組み込まれ、光源４は、ブラケット３の手摺り棒受け面３ａに受け面３ａから突出しない態様で備えられ、そこから光を外に放つことができるようになされている。なお、図２（イ−１）に示すように、光源４には、特定の一方向に光を放つことができるよう、集光部６が備えられている。
【００１６】
また、電気配線５は、ブラケット３内を光源４から壁面取付けフランジ部３ｂの内面側に延ばされ、このフランジ部３ｂの内面部から外に導出されて、壁２内へと延ばされる。
【００１７】
一方、手摺り棒１には、光源の光を受けて発光する線状の発光体７が、視認可能な外周面に位置し、手摺り棒１の長さ方向に延びるようにして組み込まれている。線状発光体７は、このようにそれ自体が光源として発光するのではなく、他の光源の光を受けて発光するものであり、従って、この発光体に電気配線などは接続されていない。
【００１８】
線状発光体７としては、例えば、柔軟アクリルポリマーなどからなる光透過部としてのコア材の外周側にアクリル樹脂製の外皮クラッド材を設けると共に、周方向の一部においてコア材とクラッド材との間に光反射層を設け、光源から光が本体内部を透過する過程で光散乱を生じさせ、側面部分が発光するようにしたロッド状のもの等が用いられる。
【００１９】
手摺り棒１への線状発光体７の組み込みは、図２（ロ）に示すように、手摺り棒１に奥拡がり状の溝１ａ、具体的には図示するような例えば断面台形状の溝１ａが備えられ、線状発光体７もそれに対応する断面台形状に形成され、線状発光体７を手摺り棒１の端部から溝１ａに差し込むというようにして行うことができるようになっている。
【００２０】
手摺り棒１には、このように線状発光体７を組み込む溝１ａを設けなければならないが、線状発光体７さえ組み込むことができればよいのであって、しかも、この線状発光体７は、線状をしていてそれだけで視認性に優れたものであるから、このような線状発光体７を手摺り棒１に組み込むのに必要な溝１ａのサイズはわずかでよく、溝１ａを手摺り棒１に形成することで手摺り棒１に強度的な弱化を生じるというような心配は全くあるいはほとんどない。
【００２１】
こうして線状発光体７が組み込まれた手摺り棒１は、その長さ方向の中間部分が、線状発光体７の部分をブラケット３側の光源４と正対させるようにしてブラケット３の受け面３ａにのせられ、図示しないビス等で、ブラケット３に取り付けられる。取付け用のビス等は線状発光体７と干渉しない位置において手摺り棒１に打たれることはいうまでもない。
【００２２】
上記の発光手摺り構造では、ブラケット３に組み込まれた光源４が点灯すると、手摺り棒１の線状発光体７がこの光源４の光を受けて線状に発光する。従って、図３（イ）（ロ）に示すように、夜間などの暗がりにおいても手摺り棒１を長尺物として認識することができ、歩行の安全を点状照明による場合よりも確かなものにすることができる。
【００２３】
しかも、光源４や電気配線５はブラケット３の側に組み込まれているから、ブラケット３がピース物であることもあって、光源４や電気配線５の納まりを良好なものにすることができ、それによってまた、そのメンテナンスも容易に行うことができる。
【００２４】
加えて、手摺り棒１には、光源も電気配線も備えられておらず、ただ線状発光体７だけが手摺りの延びる方向に線状に備えられ、手摺り棒１には小さな溝１ａを設けられるだけであるから、上述したように、いざというときのための強度は充分確保でき、手摺りとしての本来の機能をいかんなく発揮することができる。
【００２５】
図４（イ）（ロ）に示す第２実施形態の発光手摺り構造は、ブラケット３が、手摺り棒１の端部を嵌合する凹所３ｃを備え、この凹所３ｃ内に手摺り棒１の端部を嵌合することで、手摺り棒１の取付けを行う構造となっている。そして、光源４は、ブラケット３内において、この凹所３ｃの底面側の位置に外に光をはなつことができるように組み込まれ、手摺り棒１の端面部を通じて、発光体７に光を放つことができるようになされている。なお、ブラケット３が手摺り棒１の端部を全周にわたって嵌合させる方式のものである場合は、図示するように手摺り棒１の室内側に面する斜め下に発光体７が位置するように取り付けることもできるし、また、図示しないけれども、ブラケット３を交換することによって、発光体７の向きを、室内側に面する斜め上や真横など、階段や廊下等の個々の設置場所に応じた最適な向きに向けて備えさせることができる。
【００２６】
図５及び図６は発光幅木構造の実施形態を示しており、この発光幅木構造において、１１，１１は幅木、１２はジョイントカバーである。そして、ジョイントカバー１２の内面側にＬＥＤ等の光源４と電気配線５が組み込まれる一方、幅木１１には、その正面側の高さ方向中間部に奥拡がり状の溝が横方向に向けて延ばされ、線状発光体７はこの溝に差し込まれることで組み込まれている。なお、電気配線５はジョイントカバー１２の背面側の壁内に通されていてよい。
【００２７】
この発光幅木構造では、ジョイントカバー１２に組み込まれた光源４を点灯すると、幅木１１の線状発光体７がこの光源４の光を受けて線状に発光する。従って、夜間などの暗がりにおいても、図６に示すように、幅木１１を長尺物として認識することができて、床１３の縁を明確に把握することができ、歩行の安全を点状照明による場合よりも確かなものにすることができる。
【００２８】
しかも、光源４や電気配線５はジョイントカバー１２に対して組み込まれているから、ジョイントカバー１２がピース物であることもあって、光源４や電気配線５の納まりを良好なものにすることができ、それによってまた、そのメンテナンスも容易に行うことができる。
【００２９】
以上に、本発明の実施形態を示したが、本発明はこれに限られるものではなく、発明思想を逸脱しない範囲で、各種の変更が可能である。例えば、光源の光を受けて発光する発光体であればいずれの線状発光体が用いられてもよいし、光源も各種の物が用いられてよい。また、幅木や手摺りに対する線状発光体の組み込み構造としてスライド嵌合式以外の各種組み込み方式のものが用いられてよい。
【００３０】
【発明の効果】
本発明は、以上のとおりのものであるから、光源や電気配線の納まりを良好なものにすることができてそのメンテナンスも容易に行うことができ、しかも、視認性に優れて歩行の安全をより確かなものにすることができる。
【図面の簡単な説明】
【図１】第１実施形態の発光手摺り構造を示すもので、図（イ）は要部断面斜視図、図（ロ）は要部断面側面図、図（ハ）は手摺り棒とブラケットを分離状態にして示す打面側面図である。
【図２】図（イ−１）は光源の側面図、図（イ−２）は発光体の側面図、図（ロ）は手摺り棒への発光体の組み込み方法を示す斜視図である。
【図３】図（イ）は階段における発光手摺り構造の全体平面図、図（ロ）は同全体正面図である。
【図４】第２実施形態の発光手摺り構造を示すもので、図（イ）は手摺り棒とブラケットを分離状態にして示す斜視図、図（ロ）は同断面正面図である。
【図５】発光幅木構造の実施形態を示すもので、図（イ）は要部正面図、図（ロ）は幅木とブラケットを分離状態にして示す正面図、図（ハ）は幅木への発光体の組み込み方法を示す斜視図である。
【図６】発光幅木構造の全体斜視図である。
【符号の説明】
１…手摺り棒（手摺り）
３…ブラケット
４…光源
５…電気配線
７…線状発光体
１１…幅木
１２…ジョイントカバー
【図１】
0004053332.tif 000002
【図２】
0004053332.tif 000003
【図３】
0004053332.tif 000004
【図４】
0004053332.tif 000005
【図５】
0004053332.tif 000006
【図６】
0004053332.tif 000007